(57)【要約】【課題】セキュリティを確保しつつ、緊急性を有する電子メールの受信を通知すると共に、受信者の都合で当該緊急性を有する電子メールの内容を確認することができるメール通知システム等を提供する。【解決手段】受信した電子メールに関する情報に基づいて、当該電子メールが緊急の電子メールであるかどうかを判定する緊急判定部３１０と、携帯電話機２４０の電話番号に発呼する場合に使用する電話回線について、緊急用電話回線、又は通常用電話回線のいずれか一の電話回線を選択する回線選択部３１５と、選択した電話回線を使用して前記携帯電話機２４０の電話番号に発呼する発着呼部３２０と、所定の時間発呼した後に、当該呼を切断する呼切断部３２５と、前記発着呼部３２０が発呼した呼に基づく前記携帯電話機２４０からの着呼がある場合に、当該携帯電話機２４０と通話可能状態にて前記受信した電子メールの内容を音声に変換する音声変換部３３０とを備える。【選択図】図２
2010026991.tif 000002
【特許請求の範囲】
【請求項１】
電子メールの受信を、予め登録された携帯電話機の電話番号に発呼して通知するメール通知システムであって、
前記受信した電子メールに関する情報に基づいて、当該電子メールが緊急の電子メールであるかどうかを判定する緊急判定手段と、
前記緊急判定手段が判定した結果に基づいて、前記携帯電話機の電話番号に発呼する場合に使用する電話回線について、緊急用電話回線、又は通常用電話回線のいずれか一の電話回線を選択する回線選択手段と、
前記回線選択手段が選択した電話回線を使用して前記携帯電話機の電話番号に発呼する発呼手段と、
前記発呼手段が所定の時間発呼した後に、当該呼を切断する呼切断手段と、
前記発呼手段が発呼した呼に基づく前記携帯電話機からの着呼がある場合に、当該携帯電話機と通話可能状態にて前記受信した電子メールの内容を音声で出力する音声出力手段とを備えるメール通知システム。
【請求項２】
請求項１に記載のメール通知システムにおいて、
前記受信した電子メールが複数人宛てに送信されたものであり、前記緊急判定手段が、当該複数のメール受信者のうち、少なくとも２以上のメール受信者について緊急の電子メールであると判定した場合に、前記発呼手段が当該少なくも２以上のメール受信者が所有する携帯電話機の電話番号に対して発呼し、
前記発呼手段が発呼した呼に基づく前記携帯電話機から着呼があるときに、前記音声出力手段が通話状態を一旦解除する旨の音声を出力し、
前記携帯電話機との通話状態が解除されると、所定の期間内に着呼があった携帯電話機の電話番号に対して、前記受信した電子メールに関する情報に基づいて設定された優先順位に従って発呼し、当該携帯電話機と通話可能状態にて前記受信した電子メールの内容を音声で出力するメール通知システム。
【請求項３】
請求項１又は２に記載のメール通知システムにおいて、
一の人物に対して複数の緊急の電子メールが送信された場合に、当該複数の電子メールに関する情報に基づいて優先順位を設定し、前記音声出力手段が、当該設定された優先順位に従って当該電子メールの内容を音声で出力するメール通知システム。
【請求項４】
請求項３に記載のメール通知システムにおいて、
前記複数の緊急の電子メールの内容情報が同一である場合に、当該同一内容の電子メールをマージするメール通知システム。
【請求項５】
請求項１ないし４のいずれかに記載のメール通知システムにおいて、
前記受信した電子メールに関する情報に基づいて、前記発呼手段が発呼する所定の時間を設定する発呼時間設定手段を備えるメール通知システム。
【請求項６】
請求項１ないし５のいずれかに記載のメール通知システムにおいて、
前記携帯電話機からのプッシュ操作による入力、及び／又は音声入力に応じて、前記電子メールの送信者に対して返信メールを生成して送信するメール通知システム。
【請求項７】
コンピュータが、電子メールの受信を、予め登録された携帯電話機の電話番号に発呼して通知するメール通知方法であって、
前記受信した電子メールに関する情報に基づいて、当該電子メールが緊急の電子メールであるかどうかを判定する緊急判定ステップと、
前記緊急判定ステップで判定された結果に基づいて、前記携帯電話機の電話番号に発呼する場合に使用する電話回線について、緊急用電話回線、又は通常用電話回線のいずれか一の電話回線を選択する回線選択ステップと、
前記回線選択ステップで選択された電話回線を使用して前記携帯電話機の電話番号に発呼する発呼ステップと、
前記発呼ステップで所定の時間発呼した後に、当該呼を切断する呼切断ステップと、
前記発呼ステップで発呼した呼に基づく前記携帯電話機からの着呼がある場合に、当該携帯電話機と通話可能状態にて前記受信した電子メールの内容を音声で出力する音声出力ステップとを含むメール通知方法。
【請求項８】
電子メールの受信を、予め登録された携帯電話機の電話番号に発呼して通知するようにコンピュータを機能させるためのメール通知プログラムであって、
前記受信した電子メールに関する情報に基づいて、当該電子メールが緊急の電子メールであるかどうかを判定する緊急判定手段と、
前記緊急判定手段が判定した結果に基づいて、前記携帯電話機の電話番号に発呼する場合に使用する電話回線について、緊急用電話回線、又は通常用電話回線のいずれか一の電話回線を選択する回線選択手段と、
前記回線選択手段が選択した電話回線を使用して前記携帯電話機の電話番号に発呼する発呼手段と、
前記発呼手段が所定の時間発呼した後に、当該呼を切断する呼切断手段と、
前記発呼手段が発呼した呼に基づく前記携帯電話機からの着呼がある場合に、当該携帯電話機と通話可能状態にて前記受信した電子メールの内容を音声で出力する音声出力手段としてコンピュータを機能させるメール通知プログラム。
【発明の詳細な説明】
【技術分野】
【０００１】
本発明は、メールの受信を通知するメール通知システムに関し、特に電話の発呼によりメールの受信を通知するメール通知システム等に関する。
【背景技術】
【０００２】
電子メールは、現在企業活動に欠かせないものになっているが、社外にいる場合には、自分の会社用のメールアドレス宛てに電子メールが届いているかどうかを知ることが困難である。そこで、自分の携帯電話機に、会社用のメールアドレス宛てに届いた電子メールを自動転送することが行われている。携帯電話機に電子メールを転送することで、社外にいても、会社用のメールアドレス宛てに届いた電子メール直ぐに確認することができるが、携帯電話機の紛失等があった場合に、セキュリティ上の観点から非常に危険である。従って、情報漏洩防止という観点から、会社用のメールアドレス宛てに届いた電子メールを社外に転送することを禁止している企業が多い。
そのため、セキュリティを確保した上で、電子メール受信や電子メールの内容を直ぐに確認でき、電子メールの返送を行うことができる仕組みが求められている。
【０００３】
そうしたニーズのもと、緊急性が高い電子メール受信した場合に、外出先にいる電子メール受信者に対して、電話回線を用いて電子メールの受信を通知する技術が開示されている（特許文献１、特許文献２参照）。
【特許文献１】特開平１１−２９８５２２号公報
【特許文献２】特開２００３−１８６２８号公報
【発明の開示】
【発明が解決しようとする課題】
【０００４】
しかしながら、特許文献１に示す技術は、緊急性が高い電子メールを受信したことを直ぐに確認することができるが、電子メールの内容を確認するためには、受信端末側で電子メールを受信しないといけないため、受信端末を紛失してしまった場合等には、受信した電子メールの内容が漏洩してしまう可能性があり、セキュリティの面で非常に高いリスクがあるという課題を有する。
【０００５】
特許文献２に示す技術は、受信した電子メールの内容を音声で出力するため、電子メールの内容が漏洩する可能性は低くなっているが、主装置側から一方的に電話を発信し、電子メールのメッセージを音声出力するため、受信者の都合を考慮することができず、使い勝手が悪くなってしまうという課題を有する。
【０００６】
また、複数人に対して電話を発信する場合の処理が考慮されていないため、もし複数人宛ての電子メールを受信した場合には、主装置の制御により発信した順にメッセージが順次通知され、メッセージを通知する効率が悪くなってしまうという課題を有する。
【０００７】
そこで、本発明は上記課題を解決するためになされたものであり、セキュリティを確保しつつ、緊急性を有する電子メールの受信を通知すると共に、受信者の都合で当該緊急性を有する電子メールの内容を確認することができるメール通知システム、メール通知方法、及びメール通知プログラムを提供することを目的とする。
【課題を解決するための手段】
【０００８】
（１．メール通知システム）
本願に開示するメール通知システムは、電子メールの受信を、予め登録された携帯電話機の電話番号に発呼して通知するメール通知システムであって、前記受信した電子メールに関する情報に基づいて、当該電子メールが緊急の電子メールであるかどうかを判定する緊急判定手段と、前記緊急判定手段が判定した結果に基づいて、前記携帯電話機の電話番号に発呼する場合に使用する電話回線について、緊急用電話回線、又は通常用電話回線のいずれか一の電話回線を選択する回線選択手段と、前記回線選択手段が選択した電話回線を使用して前記携帯電話機の電話番号に発呼する発呼手段と、前記発呼手段が所定の時間発呼した後に、当該呼を切断する呼切断手段と、前記発呼手段が発呼した呼に基づく前記携帯電話機からの着呼がある場合に、当該携帯電話機と通話可能状態にて前記受信した電子メールの内容を音声で出力する音声出力手段とを備えるものである。
【０００９】
このように、本願に開示するメール通知システムにおいては、電子メールを受信した場合に、当該電子メールが緊急性を有するかどうかに応じて緊急用か通常用の電話回線を選択して受信者の携帯電話機に所定時間発呼し、その後当該呼を切断し、発呼した呼に基づく前記携帯電話機からの着呼がある場合に、当該携帯電話機と通話可能状態にて受信した電子メールの内容を音声で出力するため、緊急用の電子メールを受信した旨の通知を、電話回線を選択することで確実に通知することができるという効果を奏する。
【００１０】
また、呼が切断された後に、受信者側から電話を掛け直すことができるため、受信者の都合に合わせて電子メールの内容を確認することができるという効果を奏する。
さらに、受信した電子メールの内容を音声で出力するため、電子メールの内容が漏洩する可能性を最小限に抑えてセキュリティを確保することができるという効果を奏する。
【００１１】
なお、緊急の電子メールであるかどうかを判定は、様々な情報に基づいて行われるようにしてもよい。例えば、電子メール送信者のドメインやメールアドレスや予め設定されたキーワード等に基づいて判定されてもよい。
【００１２】
また、判定の基準は、様々な条件に応じた緊急度を算出し、その合計緊急度が所定の閾値を超えた場合に、緊急の電子メールであると判定してもよい。例えば、予め設定されたドメインからの電子メールを受信した場合の緊急度を８とし、「故障」というキーワードが本文中に含まれている場合の緊急度を３であるとする。このとき合計緊急度は１１である。また、閾値が１０に設定されているとすると、当該受信した電子メールの合計緊急度は閾値を超えているために、緊急の電子メールであると判定される。
さらに、判定基準となる情報は、個人で設定してもよいし、組織で共通の情報として設定してもよい。
【００１３】
（２．複数人宛ての電子メールを受信）
本願に開示するメール通知システムは、前記受信した電子メールが複数人宛てに送信されたものであり、前記緊急判定手段が、当該複数のメール受信者のうち、少なくとも２以上のメール受信者について緊急の電子メールであると判定した場合に、前記発呼手段が当該少なくも２以上のメール受信者が所有する携帯電話機の電話番号に対して発呼し、前記発呼手段が発呼した呼に基づく前記携帯電話機から着呼があるときに、前記音声出力手段が通話状態を一旦解除する旨の音声を出力し、前記携帯電話機との通話状態が解除されると、当該着呼があった携帯電話機の電話番号に対して、前記受信した電子メールに関する情報に基づいて設定された優先順位に従って発呼し、当該携帯電話機と通話可能状態にて前記受信した電子メールの内容を音声で出力するものである。
【００１４】
なお、電子メールに関する情報とは、宛先に含まれるメールアドレスや本文のメッセージ内容の情報であり、優先順位はそれらの情報に基づいて設定される。例えば、宛先に設定されている人は優先順位が高く、ＣＣ（Ｃａｒｂｏｎ  Ｃｏｐｙ）やＢＣＣ（Ｂｌｉｎｄ  Ｃａｒｂｏｎ  Ｃｏｐｙ）に設定されている人は優先度を低く設定するようにしてもよい。また、宛先に設定されている人の中でも、特に本文中に名前が記載されている人については、さらに優先順位を高く設定するようにしてもよい。
【００１５】
また、役職に応じて優先度を設定してもよい。例えば、グループ全体が宛先として設定されている場合、グループの最高責任者であるグループリーダを最優先に設定し、副リーダを２番目に優先して設定する等、立場に応じて優先順位を設定してもよい。
【００１６】
さらに、折り返しの電話が掛かってきた順番に応じて優先度を設定してもよいし、緊急判定手段が緊急度を判定した結果に基づいて、緊急度が高い電子メール受信者の順に優先度を設定してもよい。
【００１７】
（３．同一人物宛ての複数の電子メールを受信）
本願に開示するメール通知システムは、一の人物に対して複数の緊急の電子メールが送信された場合に、当該複数の電子メールに関する情報に基づいて優先順位を設定し、前記音声出力手段が、当該設定された優先順位に従って当該電子メールの内容を音声で出力するものである。
なお、優先順位は電子メールの着信順や緊急度順に応じて設定されてもよい。
【００１８】
（４．電子メールのマージ）
本願に開示するメール通知システムは、前記複数の緊急の電子メールの内容情報が同一である場合に、当該同一内容の電子メールをマージするものである。
【００１９】
（５．発呼時間の調整）
本願に開示するメール通知システムは、前記受信した電子メールに関する情報に基づいて、前記発呼手段が発呼する所定の時間を設定する発呼時間設定手段を備えるものである。
【００２０】
例えば、緊急度が高い電子メールを受信した場合ほど発呼時間を長くするように設定しておけば、受信者は発呼時間の長さによって、電子メールの緊急度を知ることが可能となる。
【００２１】
また、例えば、Ａ社からの電子メールを受信した場合は、発呼時間をａ秒、Ｂ社からの電子メールを受信した場合は、発呼時間をｂ秒と設定しておけば、受信者は発呼時間の長さによって、電子メールの差出人を知ることが可能となる。
【００２２】
（６．電子メールの返信）
本願に開示するメール通知システムは、前記携帯電話機からのプッシュ操作による入力、及び／又は音声入力に応じて、前記電子メールの送信者に対して返信メールを生成して送信するものである。
【００２３】
これまで、本発明をシステムとして示したが、所謂当業者であれば明らかであるように本発明を装置、方法、及び、プログラムとして捉えることもできる。これら前記の発明の概要は、本発明に必須となる特徴を列挙したものではなく、これら複数の特徴のサブコンビネーションも発明となり得る。
【００２４】
すなわち、本願に開示するメール通知システムの構成要素または構成要素の任意の組合せを、方法、装置、システム、コンピュータプログラム、記録媒体、データ構造などに適用したものも、他の態様として有効である。
【発明を実施するための最良の形態】
【００２５】
以下、本発明の実施の形態を説明する。本発明は多くの異なる形態で実施可能である。従って、本実施形態の記載内容のみで本発明を解釈すべきではない。また、本実施形態の全体を通して同じ要素には同じ符号を付けている。
【００２６】
以下の実施の形態では、主にシステムについて説明するが、所謂当業者であれば明らかな通り、本発明は装置、方法、及びコンピュータを動作させるためのプログラムとしても実施できる。また、本発明はハードウェア、ソフトウェア、または、ハードウェア及びソフトウェアの実施形態で実施可能である。プログラムは、ハードディスク、ＣＤ−ＲＯＭ、ＤＶＤ−ＲＯＭ、光記憶装置、または、磁気記憶装置等の任意のコンピュータ可読媒体に記録できる。さらに、プログラムはネットワークを介した他のコンピュータに記録することができる。
【００２７】
（本発明の第１の実施形態）
以下に、本実施形態に係るメール通知システムについて、図１ないし図８を用いて説明する。図１は、本実施形態に係るメール通知システムを構成するコンピュータのハードウェア構成図、図２は、本実施形態に係るメール通知システムのシステム構成図、図３は、本実施形態に係るメール通知装置の機能ブロック図、図４は、本実施形態に係る携帯電話機の機能ブロック図、図５は、本実施形態に係るメール通知システムの動作を示す第１のフローチャート、図６は、本実施形態に係るメール通知システムの動作を示す第２のフローチャート、図７は、本実施形態に係るメール通知システムの動作を示す第３のフローチャート、図８は、本実施形態に係るメール通知システムの動作を示す第４のフローチャートである。
【００２８】
（１．構成及び機能）
（１−１  ハードウェア構成）
図１において、本実施形態に係るメール通知システムを構成するコンピュータ１は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、フラッシュメモリ（Ｆｌａｓｈ  Ｍｅｍｏｒｙ）１０４、外部記憶装置であるＨＤ（Ｈａｒｄ  Ｄｉｓｋ）１０５、ＬＡＮ（Ｌｏｃａｌ  Ａｒｅａ  Ｎｅｔｗｏｒｋ）カード１０６、マウス１０７、キーボード１０８、ビデオカード１０９、このビデオカード１０９と電気的に接続する表示装置であるディスプレイ１０９ａ、サウンドカード１１０、このサウンドカード１１０と電気的に接続する音出力装置であるスピーカ１１０ａ及びフレキシブルディスク、ＣＤ−ＲＯＭ、ＤＶＤ−ＲＯＭ等の記憶媒体を読み書きするドライブ１１１からなる。
なお、上記ハードウェア構成はあくまで一例を示したものであり、構成要素の変更をすることができるのは当然である。
【００２９】
（１−２  システム構成）
図２において、メール通知システム２００は、メールサーバ２１０とメール通知装置２２０とメール送信端末２３０と携帯電話機２４０（２４０ａ〜２４０ｎ）とを備え、メールサーバ２１０、メール通知装置２２０、及びメール送信端末２３０はインターネット網２５０を介して通信可能な状態で接続されており、メール通知装置２２０、及び携帯電話機２４０は電話網２６０を介して接続されている。
【００３０】
メール通知装置２２０は、電話回線を少なくとも２つ以上保有しており、１つは通常用に使用する通常用電話回線２７０ａであり、１つは緊急用に使用する緊急用電話回線２７０ｂである。
【００３１】
メール送信端末２３０から送信された電子メールは、メールサーバ２１０に未読メールとして蓄積されると共に、メール通知装置２２０に送られる。メール受信者が自席にいる場合には、自パソコン（図示しない）からインターネット網２５０を介してメールサーバ２１０に蓄積された未読メールを取得して、メッセージを確認することができる。
【００３２】
メール通知装置２２０に送られた電子メールは、緊急性を有する電子メールかどうかが判定され、緊急性を有しない電子メールの場合は、通常用電話回線２７０ａを使用してメール受信者の携帯電話機２４０（ここでは、２４０ａとする）に発呼される。緊急性を有する電子メールの場合は、緊急用電話回線２７０ｂを使用してメール受信者の携帯電話機２４０ａに発呼される。
【００３３】
発呼して所定時間が経過すると、自動的に呼が切断される。メール受信者は携帯電話機２４０ａの着信を見て、受信した電子メールが緊急性を有するかどうかを知ることができる。メール通知装置２２０からの発呼が切断されると、今度は携帯電話機２４０ａからメール通知装置２２０に対して折り返しの電話が掛けられる。このとき、折り返しの電話はメール受信者の都合に応じて掛けることができる。
【００３４】
折り返しの電話を着呼したら、携帯電話機２４０ａと通話可能な状態にし、未読メールのメッセージ内容を音声出力する。メール受信者は、出力された音声を受話器から聞いて、受信メールの内容を確認することができる。
【００３５】
（１−３  メール通知装置２２０のモジュール構成）
図３において、メール通知装置２２０は、入出力部３０５と緊急判定部３１０と回線選択部３１５と発着呼部３２０と呼切断部３２５と音声変換部３３０と優先順位設定部３３５とメールデータ３４０と基本データ３４５と緊急判定データ３５０と着呼データ３５５とを備える。
【００３６】
入出力部３０５は、インターネット網２５０を介してメールサーバ２１０が受信した電子メールを入力する処理、及び返信メールを出力する処理を行う。入力された電子メールはメールデータ３４０に保持される。
【００３７】
緊急判定部３１０は、メール受信者の基本情報やメールアドレスと電話番号が紐付けられた情報等を保持する基本データ３４５、及び緊急性を判定する条件に関する情報を保持する緊急判定条件データ３５０に基づいて、受信した電子メールが緊急性を有するかどうかを判定する処理を行う。
【００３８】
回線選択部３１５は、緊急判定部３１０が判定した結果に基づいて、使用する電話回線を選択する処理を行う。緊急性を有する電子メールであると判定された場合は、緊急用電話回線２７０ｂを選択し、緊急性を有しない電子メールであると判定された場合は、通常用電話回線２７０ａを選択する。
【００３９】
発着呼部３２０は、携帯電話機２４０に対して発呼する処理、及び携帯電話機２４０からの発呼を着呼する処理を行う。また、発着呼した情報は、発着呼データ３５５に保持される。
【００４０】
呼切断部３２５は、発着呼部３２０が携帯電話機２４０に対して発呼し、所定の時間が経過した場合に、呼を切断する処理を行う。なお、所定の時間は、システムの利用者が任意に設定できるようにしてもよい。利用者による設定がされていない場合は、初期値として１コール後に切断されるように設定してもよい。
音声変換部３３０は、メールデータ３４０に保持されている電子メールのメッセージを音声に変換して、発着呼部３２０に出力する処理を行う。
【００４１】
優先順位設定部３３５は、複数人宛てに緊急性を有する電子メールが送信された場合に、メール受信者の携帯電話機２４０からの折り返しの着呼が複数あるとき、再度メール受信者の携帯電話機２４０に発呼する順番の優先順位を決定する処理を行う。また、同一人に対して複数の緊急性を有する電子メールが送信されている場合に、音声出力を行う順番の優先順位を決定する処理も行う。
【００４２】
メールデータ３４０は、メールサーバ２１０から入力された電子メールを格納するデータ部である。
基本データ３４５は、メール受信者のメールアドレスや携帯電話番号等の基本的な情報を格納するデータ部である。
【００４３】
緊急判定条件データ３５０は、緊急性を有するかどうかの判定を行う場合の条件が登録されたデータ部である。ここで登録されている情報は、例えば、発呼する対象から除外するキーワードやメールアドレス、自組織や取引先等の緊急度の分析対象ドメイン、マッチングを行うためのキーワードやメールアドレス等の情報である。
発着呼データ３５５は、発着呼部３２０が発呼した情報、及び着呼した情報を格納するデータ部である。
【００４４】
（１−４  携帯電話機２４０のモジュール構成）
図４において、携帯電話機２４０は、携帯着呼部４１０と携帯発呼部４２０と画面表示制御部４３０と携帯音声出力部４４０と登録データ４５０とを備える。
【００４５】
携帯着呼部４１０は、電話網２６０を介してメール通知装置２２０から発呼された呼を着呼する処理を行うと共に、電話帳等のデータが格納された登録データ４５０のデータを読み込んで、着呼した電話番号とのマッチング処理を行う。
【００４６】
携帯発呼部４２０は、着信履歴等のデータが格納された登録データ４５０のデータを読み込んで、メール通知装置２２０に、電話網２６０を介して発呼する処理を行う。
【００４７】
画面表示制御部４３０は、携帯着呼部４１０が着呼した電話番号を携帯電話機２４０の画面に表示する処理を行う。このとき、着呼した電話番号が登録データ４５０に電話帳として登録されていると、登録された名称が画面に表示される。例えば、緊急用電話回線２７０ｂの電話番号が「緊急」として登録されている場合に、緊急用電話回線２７０ｂの電話番号を着呼すると、画面に「緊急」と表示される。
【００４８】
携帯音声出力部４４０は、携帯発呼部４２０がメール通知装置２２０に発呼し、メール通知装置２２０と通話可能状態になった場合に、メール通知装置２２０から出力された音声を携帯電話機２４０のマイクに出力する処理を行う。
【００４９】
登録データ４５０は、携帯電話機２４０に関する様々な情報を格納するデータ部である。具体的には、例えば、電話帳、発信履歴、着信履歴等の情報が格納されている。
以上が、本実施形態に係るメール通知システムの構成についての説明である。
なお、上記メール通知装置２２０、及び携帯電話機２４０のモジュール構成はあくまで一例を示したものであり、構成要素の追加、変更、削除等をすることができるのは当然である。
【００５０】
（２．動作）
以下に、本実施形態に係るメール通知システムの動作を説明する。図５において、まずメール通知装置２２０が、メールサーバ２１０で受信した電子メールがあるかどうかを判定する（ステップＳ５０１）。受信した電子メールが有る場合は、［１］の処理に進む。［１］の処理では、受信した電子メールの緊急度を判定して、メール受信者に対して電話網２６０を介して発呼する処理を行う。
【００５１】
ここで、図６を用いて［１］の処理について詳細に説明する。［１］の処理では、まず、緊急判定条件データ３５０から、除外キーワード、分析対象ドメイン、マッチング情報を読み出し（ステップＳ６０１）、基本データ３４５からメールアドレスと紐付けられた電話番号を読み出す（ステップＳ６０２）。受信した電子メールのアドレス、件名、又は本文中に除外キーワードが含まれているかどうかを判定し（ステップＳ６０３）、除外キーワードが含まれている場合は、［１］の処理を終了する。
【００５２】
除外キーワードとは、当該除外キーワードが含まれている電子メールについての通知等を一切行わないためのキーワードである。具体的には、メーリングリストや迷惑メール等のメールアドレスやキーワードである。つまり、外出先にて確認する必要がない電子メールについては、通知すら行われないため、メール受信者の無駄な作業を省くことができる。
【００５３】
ステップＳ６０３で除外キーワードが含まれていない場合は、受信した電子メールのメールアドレスのドメインが分析対象のドメインかどうかを判定し（ステップＳ６０４）、分析対象のドメインでない場合は、通常用電話回線２７０ａを使用して、ステップＳ６０２で読み出した電話番号に発呼する（ステップＳ６０７）。
【００５４】
分析対象ドメインとは、自組織や取引先等のドメインであって、緊急度を判定する対象となるドメインである。つまり、ここで登録されていないドメインについては、メール受信者に対して通知を行うが、緊急度を判定する対象にはならないため、無条件に通常用電話回線２７０ａが選択される。
【００５５】
ステップＳ６０４で分析対象のドメインである場合は、マッチング対象が存在するかどうかが判定され（ステップＳ６０５）、マッチング対象が存在しない場合は、通常用電話回線２７０ａを使用して、ステップＳ６０２で読み出した電話番号に発呼する（ステップＳ６０７）。
【００５６】
マッチング対象とは、ステップＳ６０１で読み出したマッチング情報とマッチングする対象情報である。例えば、「緊急」、「至急」、「急ぎ」、「故障」等のキーワード情報や、上司や責任者のメールアドレス等の情報である。つまり、これらの情報とマッチングする対象情報が、受信した電子メールに含まれない場合は、緊急度を有しないと判断して通常用電話回線２７０ａが選択される。
【００５７】
なお、緊急度の判定は、様々な条件に応じた緊急度を算出し、その合計緊急度が所定の閾値を超えた場合に、緊急の電子メールであると判定してもよい。例えば、予め設定されたドメインからの電子メールを受信した場合の緊急度を８とし、「故障」というキーワードが本文中に含まれている場合の緊急度を３であるとする。このとき合計緊急度は１１である。また、閾値が１０に設定されているとすると、当該受信した電子メールの合計緊急度は閾値を超えているために、緊急の電子メールであると判定されるようにしてもよい。
また、ここでのキーワードやメールアドレスは、組織内の共通情報として登録してもよいし、個人が個別に登録するようにしてもよい。
【００５８】
ステップＳ６０５でマッチング対象が存在する場合（緊急メールであると判定された）は、緊急用電話回線２７０ｂを使用して、ステップＳ６０２で読み出した電話番号に発呼する（ステップＳ６０６）。ステップＳ６０６、又はステップＳ６０７で発呼処理が行われると、所定時間経過後に当該発呼を中止して切断し（ステップＳ６０８）、［１］の処理を終了する。
【００５９】
図５に戻って、ステップＳ５０１で受信メールがない場合は、着呼があるかどうかが判定される（ステップＳ５０２）。着呼が有る場合は、［２］の処理に進む。［２］の処理では、主に、折り返しの着呼があった携帯電話機２４０に対して、受信した電子メールの内容を音声出力する処理を行う。
【００６０】
ここで、図７を用いて［２］の処理について詳細に説明する。［２］の処理では、まず、折り返しの着呼を検出し（ステップＳ７０１）、基本データ３４５から、着呼した電話番号と紐付けられたメールアドレスに基づいて、受信したメール情報を読み出す（ステップＳ７０２）。ステップＳ７０１で検出した着呼が、複数人宛ての緊急の電子メールに基づいて、メール通知装置２２０が通知した発呼に対する折り返しの着呼かどうかを判定し（ステップＳ７０３）、そうであれば、所定の着呼期間内の折り返しの着呼かどうかを判定する（ステップＳ７０４）。所定の期間内の着呼でなければステップＳ７０７に進む。所定の期間内の着呼であれば、電話番号を記録し（ステップＳ７０５）、通話状態を解除する旨を通知して（ステップＳ７０６）、［２］の処理を終了する。
【００６１】
ステップＳ７０３で、複数人宛ての緊急の電子メールに基づいて、メール通知装置２２０が通知した発呼に対する折り返しの着呼ではない場合、又はステップＳ７０４で所定の期間内の着呼でない場合は、同一の受信者に対して緊急のメールを複数回受信、及び複数回発呼しているかどうかを判定する（ステップＳ７０７）。発呼していなければ、ステップＳ７１０に進む。発呼していれば、受信した電子メールのうち、同一内容の電子メールがあればマージ処理をし（ステップＳ７０８）、音声出力を行う優先順位を設定して記録しておく（ステップＳ７０９）。
【００６２】
なお、優先順位を設定するための条件は、利用者が任意に設定できるようにしてもよい。また、その条件は、例えば電子メールの着信順、緊急度順、メールサイズ順等に応じて設定されてもよい。
【００６３】
そして、ステップＳ７１０で、未読メールを音声に変換して出力する。このとき、同一人物に対する複数の電子メールについて音声出力を行う優先順位が設定されている場合は、優先順位に従って音声が出力される。返信操作、又は返信音声の入力があるかどうかを判定し（ステップＳ７１１）、入力があれば返信メールを生成して送信して（ステップＳ７１２）、ステップＳ７１３に進む。入力がなければ、そのまま何もせずにステップＳ７１３に進む。ステップＳ７１３で未読メールがあるかどうかを判定し、未読メールがあれば、ステップＳ７１０に戻って、再度音声変換して出力する処理を行う。未読メールがなければ、［２］の処理を終了する。
【００６４】
ここで、返信メールの生成について説明する。受信した電子メールの内容を音声により確認したメール受信者は、当該電子メールが緊急性を有していることから、少しでも早い対応をする必要がある。そのような場合に、携帯電話機２４０のプッシュ操作の入力、又は音声入力に基づいて返信メールを生成することができる。
【００６５】
プッシュ操作の入力の場合は、例えば、予めプッシュ番号ごとに定型文を作成して登録しておき、入力されたプッシュ番号に応じてメール通知装置２２０が返信メールを作成する。具体的には、プッシュ番号「１」に対応して「了解しました。」を登録し、プッシュ番号「２」に対して「ただいま外出中ですので、後ほどこちらからお電話致します。」を登録しておく。メール受信者は、受信した電子メールの内容に応じて、プッシュ操作をすることで、登録された文章の返信メールを、当該受信した電子メールの差出人を宛先にして生成して送信することができる。
【００６６】
また、音声入力の場合は、受信した電子メールの内容に応じて、メール受信者が返信したいメッセージ内容を携帯電話機２４０の受話器に向かって話す。メール通知装置２２０では、入力された音声を文字に変換し、変換した文字を返信メールの本文に出力し、当該受信した電子メールの差出人を宛先にして返信メールを生成して送信することができる。
【００６７】
このように、プッシュ操作の入力、又は音声入力に基づいて返信メールを生成することで、セキュリティを確保しつつ、緊急の電子メールに対して素早い応答をすることができる。
以上が、返信メールの生成について説明である。
【００６８】
図５に戻って、ステップＳ５０２で着呼がない場合は、所定の着呼期間が経過したかどうかが判定される（ステップＳ５０３）。所定の着呼期間が経過している場合は、［３］の処理に進む。［３］の処理では、複数人宛ての緊急の電子メールを受信したことの通知に対する折り返しの電話を、所定の着呼期間内に複数回着呼した場合に、優先順位を設定し、その優先順位に従って、再度メール通知装置２２０が携帯電話機２４０に発呼して、受信したメールの内容を音声出力する処理を行う。
【００６９】
ここで、図８を用いて［３］の処理について詳細に説明する。［３］の処理では、まず、所定の着呼期間内に着呼した電話番号を抽出し（ステップＳ８０１）、複数の着呼がある場合に、発呼するメール受信者の優先順位を設定する（ステップＳ８０２）。
【００７０】
なお、優先順位を設定するための条件は、利用者が任意に設定できるようにしてもよい。また、その条件は、宛先に設定されている人は優先順位が高く、ＣＣやＢＣＣに設定されている人は優先度を低く設定するようにしてもよい。また、宛先に設定されている人の中でも、特に本文中に名前が記載されている人については、さらに優先順位を高く設定するようにしてもよい。さらに、役職に応じて優先度を設定してもよい。さらにまた、折り返しの電話が掛かってきた順番に応じて優先度を設定してもよいし、緊急度が高い電子メール受信者の順に優先度を設定してもよい。
【００７１】
ステップＳ８０２で設定された優先順位に従って、発呼処理が行われる（ステップＳ８０３）。なお、ステップＳ８０４からステップＳ８１０までの処理は、図７におけるステップＳ７０７からステップＳ７１３までの処理と同じであるため、説明は省略する。ステップＳ８１０で未読メールがなければ、所定の着呼期間内に着呼した全ての折り返し電話の電話番号に対して発呼済みかどうかを判定し（ステップＳ８１１）、全ての電話番号に発呼済みではない場合は、ステップＳ８０３に戻って、再度発呼処理が行われる。全ての電話番号に発呼済みの場合は、［３］の処理を終了する。
以上が、本実施形態に係るメール通知システムの動作についての説明である。
【００７２】
このように、本実施形態に係るメール通知システムによれば、電子メールを受信した場合に、当該電子メールが緊急性を有するかどうかに応じて緊急用か通常用の電話回線を選択して受信者の携帯電話機に所定時間発呼し、その後当該呼を切断し、発呼した呼に基づく前記携帯電話機からの着呼がある場合に、当該携帯電話機と通話可能状態にて受信した電子メールの内容を音声で出力するため、緊急用の電子メールを受信した旨の通知を、電話回線を選択することで確実に通知することができる。
【００７３】
また、呼が切断された後に、受信者側から電話を掛け直すことができるため、受信者の都合に合わせて電子メールの内容を確認することができる。
さらに、受信した電子メールの内容を音声で出力するため、電子メールの内容が漏洩する可能性を最小限に抑えてセキュリティを確保することができる。
【００７４】
さらにまた、受信した電子メールが複数人宛てに送信され、緊急判定部３１０が、当該複数のメール受信者のうち、少なくとも２以上のメール受信者について緊急の電子メールであると判定した場合に、発着呼部３２０が当該少なくも２以上のメール受信者が所有する携帯電話機の電話番号に対して発呼し、当該発着呼部３２０が発呼した呼に基づく前記携帯電話機から着呼があるときに、前記音声変換部３３０が通話状態を一旦解除する旨の音声を出力し、前記携帯電話機との通話状態が解除されると、当該着呼があった携帯電話機の電話番号に対して、前記受信した電子メールに関する情報に基づいて設定された優先順位に従って発呼し、当該携帯電話機と通話可能状態にて前記受信した電子メールの内容を音声で出力するため、複数の電子メール受信者から同時に折り返しの電話が掛けられた場合の電話回線の混線を防止することができると共に、電子メールに関する情報に基づいて設定された優先順位に従って、効率よくメッセージの通知を行うことができる。
【００７５】
さらにまた、同一の人物に対して複数の緊急の電子メールが送信された場合に、当該複数の電子メールに関する情報に基づいて優先順位を設定し、当該設定された優先順位に従って当該電子メールの内容を音声で出力するため、電子メール受信者が、複数の電子メールを優先順位に従って、より重要と思われる電子メールから順に効率よく確認することができる。
【００７６】
さらにまた、複数の緊急の電子メールの内容情報が同一である場合に、当該同一内容の電子メールをマージするため、同一内容のメッセージを繰り返して確認するような無駄な作業を省略することができ、効率よく受信した電子メールを確認することができる。
【００７７】
さらにまた、携帯電話機２４０からのプッシュ操作による入力、及び／又は音声入力に応じて、前記電子メールの送信者に対して返信メールを生成して送信するため、外出先からでもセキュリティを確保しつつ電子メールの返信を行うことができ、緊急時に素早い対応が可能になる。
【００７８】
（その他の実施形態）
以下に、本実施形態に係るメール通知システムについて、図９を用いて説明する。図９は、本実施形態に係るメール通知装置の機能ブロック図である。
なお、本実施形態に係るメール通知システムについて、前記第１の実施形態と重複する説明については省略する。
【００７９】
図９において、第１の実施形態に係るメール通知装置と異なるのは、発呼時間登録部９１０と発呼時間データ９２０を備える点である。
発呼時間登録部９１０は、利用者からの入力に基づいて、発呼してから呼を切断するまでの発呼時間を発呼時間データ９２０に登録する処理を行う。発呼時間は、全ての受信メールに共通（例えば、ワンコールの時間）に設定してもよいし、受信メールの差出人のメールアドレス、件名、本文、電子メールの緊急度、発呼履歴情報等に応じて設定してもよい。例えば、Ａ上司からの電子メールの場合は５秒、Ｂ社のドメインが含まれる電子メールの場合は１０秒というような設定が可能である。また、緊急判定部３１０が判定処理を行った結果、緊急度が高い場合は長めに設定し、緊急度が低い場合は短めに設定するといった設定も可能である。さらに、複数の緊急の電子メールを受信している場合に、電子メールの着信時間に応じて次第に発呼時間を長くするような設定も可能である。
【００８０】
発呼時間データ９２０は、発呼時間登録部９１０で設定された発呼時間に関するデータが格納されているデータ部である。
【００８１】
呼切断部３２５は、発呼時間データ９２０、緊急度、並びにメールデータ３４０、基本データ３４５、緊急判定条件データ３５０、及び発着呼データ３５５の各データに基づいて、発呼時間を調整して呼を切断する処理を行う。
以上が、本実施形態に係るメール通知装置２２０の構成についての説明である。
なお、本実施形態に係るメール通知システムの動作は、第１の実施形態と同様であるため説明は省略する。
【００８２】
このように、本実施形態に係るメール通知システムによれば、受信した電子メールに関する情報に基づいて、前記発着呼部３２０が発呼する所定の時間を設定するために、発呼時間を登録する発呼時間登録部９１０を備えるため、発呼時間調整することで、緊急性の有無のみではなく、受信した電子メールに関する様々な情報（例えば、差出人情報、緊急度等）をメール受信者に対して通知することができるという効果を奏する。
【００８３】
以上の前記各実施形態により本発明を説明したが、本発明の技術的範囲は実施形態に記載の範囲には限定されず、これら各実施形態に多様な変更又は改良を加えることが可能である。そして、かような変更又は改良を加えた実施の形態も本発明の技術的範囲に含まれる。このことは、特許請求の範囲及び課題を解決する手段からも明らかなことである。
【００８４】
なお、上記各実施形態において、緊急の電子メールの受信を携帯電話機２４０に通知するかどうかを設定するための通知設定部をメール通知装置２２０に備える構成としてもよい。そうすることで、外出する際には緊急メールの受信を通知するように設定し、社内にいる場合には通知されないように設定することができる。
【００８５】
また、音声の出力において、最初は予め設定された所定の文字数を音声出力し、続きを聞く場合のみ、所定のプッシュ操作を行うことで続きを聞くことができるようにしてもよい。
さらに、電子メールの中の挨拶文、署名、引用文を音声出力の対象から除外してもよい。
さらにまた、所定のプッシュ操作を行うことで、受信した電子メールについての、過去の電子メールの返送のやり取りを検索して、音声出力をすることができるようにしてもよい。
【００８６】
さらにまた、受信した電子メールの内容を音声出力する場合に、予め設定されたパスワードの入力をプッシュ操作、又は音声により行い、一致した場合のみ電子メールの内容を出力するようにしてもよい。そうすることで、セキュリティを強化することができる。
前記各実施形態に関して次の付記を示す。
【００８７】
（付記１）電子メールの受信を、予め登録された携帯電話機の電話番号に発呼して通知するメール通知システムであって、前記受信した電子メールに関する情報に基づいて、当該電子メールが緊急の電子メールであるかどうかを判定する緊急判定手段と、前記緊急判定手段が判定した結果に基づいて、前記携帯電話機の電話番号に発呼する場合に使用する電話回線について、緊急用電話回線、又は通常用電話回線のいずれか一の電話回線を選択する回線選択手段と、前記回線選択手段が選択した電話回線を使用して前記携帯電話機の電話番号に発呼する発呼手段と、前記発呼手段が所定の時間発呼した後に、当該呼を切断する呼切断手段と、前記発呼手段が発呼した呼に基づく前記携帯電話機からの着呼がある場合に、当該携帯電話機と通話可能状態にて前記受信した電子メールの内容を音声で出力する音声出力手段とを備えるメール通知システム。
【００８８】
（付記２）付記１に記載のメール通知システムにおいて、前記受信した電子メールが複数人宛てに送信されたものであり、前記緊急判定手段が、当該複数のメール受信者のうち、少なくとも２以上のメール受信者について緊急の電子メールであると判定した場合に、前記発呼手段が当該少なくも２以上のメール受信者が所有する携帯電話機の電話番号に対して発呼し、前記発呼手段が発呼した呼に基づく前記携帯電話機から着呼があるときに、前記音声出力手段が通話状態を一旦解除する旨の音声を出力し、前記携帯電話機との通話状態が解除されると、所定の期間内に着呼があった携帯電話機の電話番号に対して、前記受信した電子メールに関する情報に基づいて設定された優先順位に従って発呼し、当該携帯電話機と通話可能状態にて前記受信した電子メールの内容を音声で出力するメール通知システム。
【００８９】
（付記３）付記１又は２に記載のメール通知システムにおいて、一の人物に対して複数の緊急の電子メールが送信された場合に、当該複数の電子メールに関する情報に基づいて優先順位を設定し、前記音声出力手段が、当該設定された優先順位に従って当該電子メールの内容を音声で出力するメール通知システム。
【００９０】
（付記４）付記３に記載のメール通知システムにおいて、前記複数の緊急の電子メールの内容情報が同一である場合に、当該同一内容の電子メールをマージするメール通知システム。
【００９１】
（付記５）付記１ないし４のいずれかに記載のメール通知システムにおいて、前記受信した電子メールに関する情報に基づいて、前記発呼手段が発呼する所定の時間を設定する発呼時間設定手段を備えるメール通知システム。
【００９２】
（付記６）付記１ないし５のいずれかに記載のメール通知システムにおいて、前記携帯電話機からのプッシュ操作による入力、及び／又は音声入力に応じて、前記電子メールの送信者に対して返信メールを生成して送信するメール通知システム。
【００９３】
（付記７）コンピュータが、電子メールの受信を、予め登録された携帯電話機の電話番号に発呼して通知するメール通知方法であって、前記受信した電子メールに関する情報に基づいて、当該電子メールが緊急の電子メールであるかどうかを判定する緊急判定ステップと、前記緊急判定ステップで判定された結果に基づいて、前記携帯電話機の電話番号に発呼する場合に使用する電話回線について、緊急用電話回線、又は通常用電話回線のいずれか一の電話回線を選択する回線選択ステップと、前記回線選択ステップで選択された電話回線を使用して前記携帯電話機の電話番号に発呼する発呼ステップと、前記発呼ステップで所定の時間発呼した後に、当該呼を切断する呼切断ステップと、前記発呼ステップで発呼した呼に基づく前記携帯電話機からの着呼がある場合に、当該携帯電話機と通話可能状態にて前記受信した電子メールの内容を音声で出力する音声出力ステップとを含むメール通知方法。
【００９４】
（付記８）付記７に記載のメール通知方法において、前記受信した電子メールが複数人宛てに送信されたものであり、前記緊急判定ステップで、当該複数のメール受信者のうち、少なくとも２以上のメール受信者について緊急の電子メールであると判定された場合に、前記発呼ステップで当該少なくも２以上のメール受信者が所有する携帯電話機の電話番号に対して発呼し、前記発呼ステップで発呼された呼に基づく前記携帯電話機から着呼があるときに、前記音声出力ステップで通話状態を一旦解除する旨の音声が出力され、前記携帯電話機との通話状態が解除されると、所定の期間内に着呼があった携帯電話機の電話番号に対して、前記受信した電子メールに関する情報に基づいて設定された優先順位に従って発呼し、当該携帯電話機と通話可能状態にて前記受信した電子メールの内容を音声で出力するメール通知方法。
【００９５】
（付記９）付記７又は８に記載のメール通知方法において、一の人物に対して複数の緊急の電子メールが送信された場合に、当該複数の電子メールに関する情報に基づいて優先順位を設定し、前記音声出力ステップで、当該設定された優先順位に従って当該電子メールの内容が音声で出力されるメール通知方法。
【００９６】
（付記１０）付記９に記載のメール通知方法において、前記複数の緊急の電子メールの内容情報が同一である場合に、当該同一内容の電子メールをマージするメール通知方法。
【００９７】
（付記１１）付記７ないし１０のいずれかに記載のメール通知方法において、前記受信した電子メールに関する情報に基づいて、前記発呼ステップで発呼される所定の時間を設定する発呼時間設定ステップを含むメール通知方法。
【００９８】
（付記１２）付記７ないし１１のいずれかに記載のメール通知方法において、前記携帯電話機からのプッシュ操作による入力、及び／又は音声入力に応じて、前記電子メールの送信者に対して返信メールを生成して送信するメール通知方法。
【００９９】
（付記１３）電子メールの受信を、予め登録された携帯電話機の電話番号に発呼して通知するようにコンピュータを機能させるためのメール通知プログラムであって、前記受信した電子メールに関する情報に基づいて、当該電子メールが緊急の電子メールであるかどうかを判定する緊急判定手段と、前記緊急判定手段が判定した結果に基づいて、前記携帯電話機の電話番号に発呼する場合に使用する電話回線について、緊急用電話回線、又は通常用電話回線のいずれか一の電話回線を選択する回線選択手段と、前記回線選択手段が選択した電話回線を使用して前記携帯電話機の電話番号に発呼する発呼手段と、前記発呼手段が所定の時間発呼した後に、当該呼を切断する呼切断手段と、前記発呼手段が発呼した呼に基づく前記携帯電話機からの着呼がある場合に、当該携帯電話機と通話可能状態にて前記受信した電子メールの内容を音声で出力する音声出力手段としてコンピュータを機能させるメール通知プログラム。
【０１００】
（付記１４）付記１３に記載のメール通知プログラムにおいて、前記受信した電子メールが複数人宛てに送信されたものであり、前記緊急判定手段が、当該複数のメール受信者のうち、少なくとも２以上のメール受信者について緊急の電子メールであると判定した場合に、前記発呼手段が当該少なくも２以上のメール受信者が所有する携帯電話機の電話番号に対して発呼し、前記発呼手段が発呼した呼に基づく前記携帯電話機から着呼があるときに、前記音声出力手段が通話状態を一旦解除する旨の音声を出力し、前記携帯電話機との通話状態が解除されると、所定の期間内に着呼があった携帯電話機の電話番号に対して、前記受信した電子メールに関する情報に基づいて設定された優先順位に従って発呼し、当該携帯電話機と通話可能状態にて前記受信した電子メールの内容を音声で出力するメール通知プログラム。
【０１０１】
（付記１５）付記１３又は１４に記載のメール通知プログラムにおいて、一の人物に対して複数の緊急の電子メールが送信された場合に、当該複数の電子メールに関する情報に基づいて優先順位を設定し、前記音声出力手段が、当該設定された優先順位に従って当該電子メールの内容を音声で出力するメール通知プログラム。
【０１０２】
（付記１６）付記１５に記載のメール通知プログラムにおいて、前記複数の緊急の電子メールの内容情報が同一である場合に、当該同一内容の電子メールをマージするメール通知プログラム。
【０１０３】
（付記１７）付記１３ないし１６のいずれかに記載のメール通知プログラムにおいて、前記受信した電子メールに関する情報に基づいて、前記発呼手段が発呼する所定の時間を設定する発呼時間設定手段としてコンピュータを機能させるメール通知プログラム。
【０１０４】
（付記１８）付記１３ないし１７のいずれかに記載のメール通知プログラムにおいて、前記携帯電話機からのプッシュ操作による入力、及び／又は音声入力に応じて、前記電子メールの送信者に対して返信メールを生成して送信するメール通知プログラム。
【図面の簡単な説明】
【０１０５】
【図１】第１の実施形態に係るメール通知システムを構成するコンピュータのハードウェア構成図である。
【図２】第１の実施形態に係るメール通知システムのシステム構成図である。
【図３】第１の実施形態に係るメール通知装置の機能ブロック図である。
【図４】第１の実施形態に係る携帯電話機の機能ブロック図である。
【図５】第１の実施形態に係るメール通知システムの動作を示す第１のフローチャートである。
【図６】第１の実施形態に係るメール通知システムの動作を示す第２のフローチャートである。
【図７】第１の実施形態に係るメール通知システムの動作を示す第３のフローチャートである。
【図８】第１の実施形態に係るメール通知システムの動作を示す第４のフローチャートである。
【図９】その他の実施形態に係るメール通知装置の機能ブロック図である。
【符号の説明】
【０１０６】
１  コンピュータ
１０１  ＣＰＵ
１０２  ＲＡＭ
１０３  ＲＯＭ
１０４  フラッシュメモリ
１０５  ＨＤ
１０６  ＬＡＮカード
１０７  マウス
１０８  キーボード
１０９  ビデオカード
１０９ａ  ディスプレイ
１１０  サウンドカード
１１０ａ  スピーカ
１１１  ドライブ
２００  メール通知システム
２１０  メールサーバ
２２０  メール通知装置
２３０  メール送信端末
２４０  携帯電話機
２５０  インターネット網
２６０  電話網
２７０ａ  通常用電話回線
２７０ｂ  緊急用電話回線
３０５  入出力部
３１０  緊急判定部
３１５  回線選択部
３２０  発着呼部
３２５  呼切断部
３３０  音声変換部
３３５  優先順位設定部
３４０  メールデータ
３４５  基本データ
３５０  緊急判定条件データ
３５５  発着呼データ
４１０  携帯着呼部
４２０  携帯発呼部
４３０  画面表示制御部
４４０  携帯音声出力部
４５０  登録データ
９１０  発呼時間登録部
９２０  発呼時間データ
【図１】
2010026991.tif 000003
【図２】
2010026991.tif 000004
【図３】
2010026991.tif 000005
【図４】
2010026991.tif 000006
【図５】
2010026991.tif 000007
【図６】
2010026991.tif 000008
【図７】
2010026991.tif 000009
【図８】
2010026991.tif 000010
【図９】
2010026991.tif 000011